(57)【要約】【課題】  伸縮可能な生地本体には複数本の骨を縦方向に取付け、生地本体の両側にはフック部とアイ部を設け、部分的に付いた贅肉を押さえて美しいウエストを作ることが出来るウエストニッパーの提供。【解決手段】  生地本体１の内側には中央の腹部と両側の脇腹部に当たる中央パワーネット６，６と側部パワーネット８，８を設け、両パワーネット６，８は伸縮性に優れた生地で構成されてその基部のみを縫い付けし、その他の部分はフリーな状態であると共に、縫い付け箇所の生地本体間隔よりパワーネット６，８の基部間距離を僅かに小さくしている。【選択図】    図２
2006161200.tif 000002
【特許請求の範囲】
【請求項１】
伸縮可能な生地本体には複数本の骨を縦方向に取付け、生地本体の両側にはフック部とアイ部を設け、そして生地本体の内側には中央の腹部と両側の脇腹部に当たるパワーネットを設け、該パワーネットは伸縮性に優れた生地で構成されてその基部のみを生地本体に縫い付けし、その他の部分はフリーな状態であると共に、縫い付け箇所の生地本体間隔よりパワーネットの基部間距離を僅かに小さくしたことを特徴とするウエストニッパー。
【請求項２】
伸縮可能な生地本体には複数本の骨を縦方向に取付け、生地本体の両側にはフック部とアイ部を設け、そして生地本体の内側には中央の腹部と両側の脇腹部に当たる中央パワーネットと側部パワーネットを設け、中央パワーネットは伸縮性に優れた生地で構成されてその基部のみを中央骨に縫い付けし、その他の部分はフリーな状態であると共に、縫い付け箇所の生地本体間隔よりパワーネットの基部間距離を僅かに小さくし、一方、側部パワーネットも伸縮性に優れた生地で構成されてその基部のみを中央骨と生地本体の側端に縫い付けし、その他の部分はフリーな状態であると共に、縫い付け箇所の生地本体間隔よりパワーネットの基部間距離を僅かに小さくしたことを特徴とするウエストニッパー。
【請求項３】
上記中央パワーネット及び側部パワーネットを対を成す２枚のパワーネットで構成すると共に重なり合う先端部を縫い合わせた請求項２記載のウエストニッパー。
【発明の詳細な説明】
【技術分野】
【０００１】
本発明は女性下着の一種であって、ウエスト部を引き締め、サポートする為のウエストニッパーに関するものである。
【背景技術】
【０００２】
体形の崩れを防止する為にボディスーツを着用する女性は多い。該ボディスーツは胸からウエスト部、それにヒップにかけて体を適度に締め付け、体形を整えることが出来る。しかし、このボディスーツは上記胸、ウエスト及びヒップの各部位があくまでも標準体形を基本としたサイズで製作されている為に、着用しても圧迫感が残ってしまう。一般には標準体形である人は少なく、特に年齢を重ねるにつれて、部分的に贅肉が付いて肥満化するケースが多く、このような場合に従来のボディスーツを利用して体形を整え、体の線を美しく見せることは出来ない。
【０００３】
そこで、このボディスーツを分割して、ブラジャー、ウエストニッパー、及びガードルとで構成した下着が多用されている。これは、自分の体形に合わせて上記ブラジャー、ウエストニッパー、それにガードルを選択して組合わせることが出来、しかも部分的な着用が可能になることから便利である。本発明は、上記下着の中で、ウエストニッパーを対象としたものである。
【０００４】
図３は従来のウエストニッパーを長手方向に多少縮小した状態で表したもので、ウエスト部に巻き付けて着用する為に、一方側にはフック(イ)、(イ)・・が、他方側にはアイ(ロ)、(ロ)・・が設けられていて、該フック(イ)、(イ)・・はアイ(ロ)、(ロ)・・に係止する。又、ウエストのサイズに応じて適度な締め具合が得られるように、中心(Ｏ−Ｏ)からの距離が異なる位置に上記フック(イ)、(イ)・・及びアイ(ロ)、(ロ)・・が設けられている。そして、縦方向には所定の間隔をおいて、柔軟性のある骨(ハ)、(ハ)・・が縫着されている。
【０００５】
図４は該ウエストニッパーを着用している状態を表している参考図であり、バスト下側からウエストにかけての部分を拘束して締め付けることが出来る。しかし、このウエストニッパーにしても標準体形を基にして複数サイズが準備されているに過ぎず、各人の体形に完全フィットするものではない。しかも、従来のウエストニッパーはウエスト部に巻き付けることで、該ウエスト部全体をほぼ均等に締め付けるだけに過ぎない。
【０００６】
人の体形は様々であって、部分的に贅肉が付いてしまい、ウエスト全体を均等に締め付けるのでは、窮屈感が増すだけでその効果が得られ難いといった問題がある。また、ウエストニッパーをウエストに着用する場合、身体を動かすことで、その位置が変化してしまい、締め直しを時々しなくてはならない場合が多く、面倒である。
【特許文献１】実開平４−７００９４号に係る「ウエストニッパー」
【発明の開示】
【発明が解決しようとする課題】
【０００７】
このように、従来のウエストニッパーには上記のごとき問題がある。本発明が解決しようとする課題はこの問題点であり、ウエスト全体を締め付けることが出来ると共に、特に腹の周りに付いた贅肉を押さえて奇麗なウエストを作り出すことが出来るウエストニッパーを提供する。
【課題を解決するための手段】
【０００８】
本発明に係るウエストニッパーは、ウエストに巻き付けて適度な締付け力を付加することが出来るように構成され、その生地は長さ方向に伸縮自在と成っている。しかし、所々には縦方向に湾曲自在な骨が設けられている為に縦方向への伸びは殆どないが、曲げ剛さは備わり、ウエスト部から腰部にかけてほぼ均等に締付けることが出来る。ウエストニッパーの一方側にはフックが設けられ、他方側にはアイが設けられてウエストに巻き付け着用することが出来る。
【０００９】
ところで、本発明に係るウエストニッパーにはその内側にパワーネットが設けられ、特に腹部及び脇腹部に付いている贅肉を押えることが出来る。上記パワーネットは伸縮性に優れた生地で構成され、腹を押さえる中央部には中央パワーネットが対を成して設けられ、同じく両脇腹を押さえる両側にも側部パワーネットが対を成して設けられている。
【００１０】
そして、これら各パワーネットは基部がウエストニッパー生地に縫い付けられ、対を成して重なり合う先端部は縫い合わされているだけでその他の部分はフリーな状態にある。しかも、その寸法はウエストニッパーより短く成っていて、ウエストニッパーの縦方向に設けている骨間距離を縮小している。
【発明の効果】
【００１１】
本発明に係るウエストニッパーは、ウエストに巻き付けることで贅肉を押さえて美しいウエストを作り出すことが出来る。そして、内側には伸縮性に優れたパワーネットが設けられている為に、該パワーネットは腹及び脇腹に付いた贅肉を部分的に押さえることができる。パワーネットはウエストニッパーの寸法より小さく成っている為に、該ウエストニッパーをウエストに着用する際には、パワーネットはウエストニッパー生地より大きく引き伸ばされ、その結果、該パワーネットは腹及び脇腹に密着する。そして、パワーネットが腹及び脇腹に密着することで、着用したウエストニッパーが位置ズレすることなく安定する。
【実施例】
【００１２】
図１は本発明のウエストニッパーを示す実施例であり、生地本体１は概略長方形を成して、中央部では滑らかに凸状に湾曲した形状とし、縦方向には湾曲自在な骨２，２・・が縫着されて、ウエスト部から腰部にかけて適度な締め付け力を付加することが出来る。生地本体１の一方側に設けたフック部３には複数のフック４，４・・が等間隔で３列を成して配列し、反対側にはアイ(図示なし)が等間隔で配列している。アイはフック４，４・・の適当な列に係止してウエストニッパーはウエスト部に着用される。
【００１３】
図２は本発明に係るウエストニッパーの内側を表している。該ウエストニッパーの生地本体１の中央部両側に中央骨２ａ，２ａを設け、側部には側骨２ｂ，２ｂを夫々所定の間隔をおいて設けている。そして中央部５には中央骨２ａ，２ａに基部を縫い付けた中央パワーネット６，６を設け、両中央パワーネット６，６の先端部は互いに重なり合って縫い合わされている。
【００１４】
中央パワーネット６は概略三角形を成して、基部は大きくて先端側は小さく成っている。そして、基部が生地本体１に縫い付けられているだけで、その他の部分はフリーな状態にあり、斜線で示した先端部７は互いに重なり合って縫い合わされている。又、中央パワーネット６，６の先端部７，７が縫い合わされ、しかも、両中央骨２ａ，２ａの間隔を縮小するようにしている。すなわち、中央パワーネット６，６の寸法を生地本体より小さくしている。
【００１５】
同じく、中央骨２ａと側端との間の生地本体側部にも、対をなす側部パワーネット８，８が設けられ、先端部９，９は互いに重なり合って縫い合わされている。勿論、該側部パワーネット８，８の場合も、基部のみが中央骨２ａと側端に縫い付けられているだけで、その他の部分は生地本体１とはフリーな状態にある。又、寸法は中央骨と側端の間隔に比較して僅かに短く成っている。
【００１６】
そこで、該ウエストニッパーをウエストに巻いて着用する場合には、生地本体１が引き伸ばされるだけでなく、各中央パワーネット６，６、及び側部パワーネット８，８はさらに大きく引き伸ばされる。従って各パワーネットによって、ウエストが部分的に締め付けられる。また、生地本体１に縫い合わされていない為に、パワーネット６，６，８，８にて贅肉が付いて特に気になる部分を支えるようにその位置をズラすことも可能である。
【００１７】
図２に示した実施例では、中央パワーネット６及び側部パワーネット８の形状が概略三角形を成し、ウエストニッパーの中央部では中央パワーネット６，６が互いに先端部にて縫い合わされた形態と成っている。同じくウエストニッパーの側部では側部パワーネット８，８が互いに先端部にて縫い合わされた形態と成っている。
【００１８】
本発明のパワーネットは、先端を縫い合わせる構造ではなく、１枚のパワーネットを縫付けることも可能である。ただし寸法は生地本体１に対して短くされ、着用した際にはパワーネットの方が大きく伸びることが出来る寸法関係と成っている。
【図面の簡単な説明】
【００１９】
【図１】本発明に係るウエストニッパー。
【図２】本発明のウエストニッパーの内側。
【図３】従来の一般的なウエストニッパー。
【図４】ウエストニッパーを着用した場合。
【符号の説明】
【００２０】
１  生地本体
２  骨
３  フック部
４  フック
５  中央部
６  中央パワーネット
７  先端部
８  側部パワーネット
９  先端部
【図１】
2006161200.tif 000003
【図２】
2006161200.tif 000004
【図３】
2006161200.tif 000005
【図４】
2006161200.tif 000006